(57)【要約】【課題】  ＯＦＤＭ変調器の変調時の無信号を検出する監視装置および監視方法を提供する。【解決手段】  入力されたＯＦＤＭ信号をＴＳ信号に復調する手段と、前記ＴＳ信号からＰＡＴおよびＣＣを取得する手段と、前記ＰＡＴおよびＣＣとを解析する解析手段とを具備し、前記解析手段はＰＡＴの周期またはＣＣの値連続性のどちらか、または双方を解析することを特徴とする。【選択図】  図３
2011109332.tif 000002
【特許請求の範囲】
【請求項１】
入力されたＯＦＤＭ信号をＴＳ信号に復調する手段と、前記ＴＳ信号からＰＡＴおよびＣＣを取得する手段と、前記ＰＡＴおよびＣＣとを解析する解析手段とを具備し、
前記解析手段はＰＡＴの周期またはＣＣの値連続性のどちらか、または双方を解析することを特徴とするデジタル送信機用監視装置。
【請求項２】
請求項１に記載する解析手段による解析結果で、ＰＡＴの周期が定められた周期でなかった場合、またはＣＣが連続でなかった場合に、この情報をアラームとして外部に出力する手段を備えることを特徴とするデジタル送信機用監視装置。
【請求項３】
第一のＯＦＤＭ信号入力を第一のＴＳ信号に復調する手段と、第二のＯＦＤＭ信号入力を第二のＴＳ信号に復調する手段と、前記第一のＴＳ信号から第一のＰＡＴおよびＣＣを取得する手段と、前記第二のＴＳ信号から第二のＰＡＴおよびＣＣを取得する手段と、前記第一のＰＡＴ、ＣＣを解析する第一の解析手段と、前記第二のＰＡＴ、ＣＣを解析する第二の解析手段と、前記第一の解析手段の解析結果および前記第二の解析手段の解析結果を比較する比較手段とを具備し、
前記比較手段は、ＰＡＴの周期またはＣＣの値連続性のどちらか、または双方を比較することを特徴とするデジタル送信機用監視装置。
【請求項４】
請求項３に記載する比較手段による比較結果で、第一のＰＡＴの周期と第二のＰＡＴの周期が同じでなかった場合、または第一のＣＣの連続性と第二のＣＣの連続性が同じでなかった場合、またはその双方の場合に、この情報をアラームとして外部に出力する手段を備えることを特徴とするデジタル送信機用監視装置。
【請求項５】
ＯＦＤＭ変調信号からＴＳ信号を取得する手段として、チューナを用いたことを特徴とする請求項１、２、３、４記載のデジタル送信機用監視装置。
【請求項６】
請求項５に記載するチューナの前段に、周波数コンバータを具備し、チューナに入力するＯＦＤＭ信号の周波数を変換することを特徴とするデジタル送信機用監視装置。
【請求項７】
第一のＯＦＤＭ信号から第一のＴＳ信号取得する方法と、第二のＯＦＤＭ信号から第二のＴＳ信号取得する方法と、前記第一のＴＳ信号から第一のＰＡＴおよびＣＣを取得する方法と、前記第二のＴＳ信号から第二のＰＡＴおよびＣＣを取得する方法と、前記第一のＰＡＴ、ＣＣを解析する方法と、前記第二ＰＡＴ、ＣＣとを解析する方法と、前記第一のＰＡＴ、ＣＣの解析結果および前記第二のＰＡＴ、ＣＣの解析結果を比較する比較方法を具備し、
前記比較方法はＰＡＴの周期またはＣＣの値連続性のどちらか、または双方を比較することを特徴とするデジタル送信機用監視方法。
【発明の詳細な説明】
【技術分野】
【０００１】
本発明は、デジタル放送の送出設備のＯＦＤＭ（Orthogonal  Frequency  Division  Multiplexing）変調器の監視装置及び監視方法に関する。
【背景技術】
【０００２】
放送局の送信設備は冗長性をもたせるため、二重化構造をとっている。このような送信設備のシステム監視装置としては、特許文献１や特許文献２に開示されるものがある。
【０００３】
特許文献１には、二重化構造における第１系および第２系のＴＳ（Transport  Stream）パケットを取得し、ここで取得したＴＳパケット数を比較することによる監視方法が開示されている。
【０００４】
特許文献２には、系統内のＴＳパケットのＰＡＴ（Program  Association  Table）、ＰＭＴ（Program  Map  Table）を取得し、該ＰＡＴまたは該ＰＭＴで指定されるＰＩＤ（Packet  Identification）の送出予定ＰＩＤと、実際に送られるＰＩＤとを比較し、ＰＡＴまたはＰＭＴの取得時間から指定のＴＳパケットを取得するまでにかかる取得時間を判別する方法が開示されている。
【０００５】
またデジタル放送の送信設備として、ＯＦＤＭ変調設備があり、この設備に関する監視方法として特許文献３がある。
【０００６】
特許文献３によるとＯＦＤＭ信号（以下被変調信号と同じ）を中継する場合、ＯＦＤＭフレームのＴＳパケットに埋め込まれている各々のＴＳＰ_ｃｏｕｎｔｅｒ値の連続性を判断し、誤りが生じたＴＳＰを補正する方法が開示されている。
【０００７】
これら従来技術である特許文献１、文献２および文献３には、本発明のようにＯＦＤＭ変調後のＯＦＤＭ変調信号（以下ＯＦＤＭ変調信号とは、搬送波をＯＦＤＭ変調するためのデジタル信号を指す）のＰＡＴの周期およびＰＡＴの連続性指標ＣＣ（Continuity  Counter）の連続性を監視し、正しくＯＦＤＭ変調が行われているかを判定することには言及がない。
【０００８】
また、一般的にデジタル放送の送信機の監視装置では、送信機から出力された電波の質や出力レベルについて監視しており、ＯＦＤＭ変調信号については監視していないのが現状である。
【先行技術文献】
【特許文献】
【０００９】
【特許文献１】特開２００３―１１１１０５号公報
【特許文献２】特開２００４−８８３３１号公報
【特許文献３】特開２００８―２８３４７６号公報
【発明の概要】
【発明が解決しようとする課題】
【００１０】
放送局の送信設備は、放送が中断する様な事故に備えて伝送路を複数化している。一般的には図１に示すように二重化しており、それぞれ現用（または１系）、予備（または２系）としている。
図の説明において、各図中のブロックで、同じ様な機能のものは同じ番号で記述する。
【００１１】
図１において、中継用の受信機であるＳＴＬ（Studio  to  Transmitter  Link）受信機１００の出力であるＴＳ（ＴＳ１）はＯＦＤＭ変調器１１１によりＯＦＤＭ信号に変調され、たとえば３７．１５MHzの中間周波数ＩＦ(Intermediate  Frequency)として出力される。その出力であるＩＦ１(ＯＦＤＭ1)はＵＰ−ＣＯＮＶＥＲＴＥＲ（周波数変換器）１２１で放送する電波の周波数ＲＦ（Radio  Frequency）、たとえばチャンネル２０の周波数である５１５．１４３MHzに変換される（ＲＦ１）。このＲＦ１信号はＰＡ（Power  Ampｌifier：増幅器）１３１により増幅される。同じようにＳＴＬ受信機１００のもうひとつであるＴＳ（ＴＳ２）もＯＦＤＭ変調器１１２によりＯＦＤＭ信号に変調され、中間周波数（ＩＦ２（ＯＦＤＭ２））として出力される。その出力であるＩＦ２はＵＰ−ＣＯＮＶＥＲＴＥＲ（周波数変換器）１２２で放送する電波の周波数（ＲＦ２）に変換される。このＲＦ２信号はＰＡ（増幅器）１３２により増幅される。それぞれ増幅された信号ＲＦ１およびＲＦ２は出力切替１４０にてどちらか一方の信号が選択される。
【００１２】
通常は現用であるＲＦ１が選択されるが、ＯＦＤＭ変調器１１１、１１２やＵＰ−ＣＯＮＶＥＲＴＥＲ１２１、１２２およびＰＡ１３１、１３２の自己監視機能等によりＴＳ１、ＩＦ１（ＯＦＤＭ１）およびＲＦ１の不具合が検知され、ＴＳ２、ＩＦ２（ＯＦＤＭ２）およびＲＦ２が正常の場合は出力切替１４０により正常であるＲＦ２が選択される。
【００１３】
ここで、ＯＦＤＭ変調器において入力のＴＳ信号は正常なのに、ＯＦＤＭ変調器の不具合等でＯＦＤＭ信号は出力されているのにもかかわらず、無信号状態の場合がある。「無信号状態」とは搬送波はＯＦＤＭ変調されているものの、変調処理においてＴＳ信号が欠落し情報のないデジタル信号が伝送されている状態を指す。また無信号とは「無変調状態（搬送波のみが伝送されている状態）」とは異なる。
【００１４】
従来技術の特許文献１、特許文献２および特許文献３の方法等ではＯＦＤＭ変調前のＴＳ信号を監視するため、このような不具合を検知することはできなかった。
【００１５】
また一般的にデジタル放送の送信機の監視装置では、送信機から出力されたＣＮ（Carrier  Noise）比、ＲＳ符号（Reed  Solomon  Coding）エラー状況や出力レベルについて監視しており、ＯＦＤＭ変調信号については監視していない。
【００１６】
そこで、本発明の目的は、従来の監視方法では判別できないＯＦＤＭ変調器の不具合を、簡単かつ低コストで実現する監視装置および監視方法を提供することにある。
【課題を解決するための手段】
【００１７】
本発明のうち請求項１記載の発明は、入力されたＯＦＤＭ信号をＴＳ信号に復調する手段と、前記ＴＳ信号からＰＡＴおよびＣＣを取得する手段と、前記ＰＡＴおよびＣＣとを解析する解析手段とを具備し、前記解析手段はＰＡＴの周期またはＣＣの値連続性のどちらか、または双方を解析することを特徴とする。
この発明に係る監視装置は、ＯＦＤＭ変調器の不具合を監視する目的を達成するため、以下のように構成される。
（１）ＯＦＤＭ変調器から出力されるＯＦＤＭ信号を入力信号とし、前記入力信号をＯＦＤＭ復調器手段により得られたＴＳ信号を、フィルタリング手段にてARIB（Association of Radio Industries and Businesses 社団法人  電波産業会）  ＳＴＤ−Ｂ３２に規定されるＰＩＤを検索し、値が０ｘ００００であるＰＡＴを検出して得られた信号を、解析手段によりＰＡＴの周期性とＰＡＴから得られる連続性指標ＣＣ値の連続性を検知する。解析手段によりＰＡＴが定められた周期で検出されなかった場合または連続性指標ＣＣが正しくインクリメントされなかった場合、その情報をアラームとして出力する手段を設ける。
【００１８】
（１）の構成によれば、ＯＦＤＭ変調後の異常が判るので、ＯＦＤＭ変調器以前の段階で不具合が発生したことが判別できる。
【００１９】
本発明のうち請求項２記載の発明は、請求項１に記載する解析手段による解析結果で、ＰＡＴの周期が定められた周期でなかった場合、またはＣＣが連続でなかった場合に、この情報をアラームとして外部に出力する手段を備えることを特徴とする。
この発明に係る監視装置は、二重化された送信設備におけるＯＦＤＭ変調器の不具合を監視する目的を達成するため、以下のように構成される。
（２）さらに（１）の構成を二重化し、一方を第一のＯＦＤＭ入力信号とし、他方を第二のＯＦＤＭ入力信号とし、第一および第二の入力信号から得られたＰＡＴの周期、または連続性指標ＣＣ値の連続性の情報を比較する手段を設け、片方のＰＡＴと他方のＰＡＴの周期性とが異なった場合、または片方の連続性指標ＣＣの連続性と他方の連続性指標ＣＣの連続性とが異なった場合、その情報をアラームとして出力する手段を設ける。
【００２０】
（２）の構成によれば、放送局の送出設備の二重化におけるＯＦＤＭ変調器の不具合を検知することができる。
【００２１】
本発明のうち請求項３記載の発明は、第一のＯＦＤＭ信号入力を第一のＴＳ信号に復調する手段と、第二のＯＦＤＭ信号入力を第二のＴＳ信号に復調する手段と、前記第一のＴＳ信号から第一のＰＡＴおよびＣＣを取得する手段と、前記第二のＴＳ信号から第二のＰＡＴおよびＣＣを取得する手段と、前記第一のＰＡＴ、ＣＣを解析する第一の解析手段と、前記第二のＰＡＴ、ＣＣを解析する第二の解析手段と、前記第一の解析手段の解析結果および前記第二の解析手段の解析結果を比較する比較手段とを具備し、前記比較手段はＰＡＴの周期またはＣＣの値連続性のどちらか、または双方を比較することを特徴とする。そして、請求項４記載の発明は、請求項３に記載した比較手段による比較結果で、第一のＰＡＴの周期と第二のＰＡＴの周期が同じでなかった場合、または第一のＣＣの連続性と第二のＣＣの連続性が同じでなかった場合、またはその双方の場合に、この情報をアラームとして外部に出力する手段を備えることを特徴とする。
この発明に係る監視装置は、放送局の送信設備におけるＯＦＤＭ変調器の不具合を監視する目的を達成するため、以下のように構成される。
（３）さらに、（２）に加えることに放送される電波を受信し、これを復調する手段により得られるＰＡＴおよび連続性指標ＣＣ信号を上記と同様に比較する。
【００２２】
（３）によれば、ＯＦＤＭ変調器から、ＵＰ−ＣＯＮＶＥＲＴＥＲ、ＰＡ,送信アンテナを経て発射される放送波との比較ができるので、ＵＰ−ＣＯＮＶＥＲＴＥＲ、ＰＡ,送信アンテナ等の送信設備の最終段の不具合を検知することができる。
【００２３】
本発明のうち請求項５記載の発明は、請求項１〜４に記載する係る監視装置におけるＯＦＤＭ変調信号からＴＳ信号を取得する手段として、チューナを用いたことを特徴とする。
さらに、請求項６記載の発明は、請求項５記載のチューナの前段に、周波数コンバータを具備し、チューナに入力するＯＦＤＭ信号の周波数を変換することを特徴とする。
【００２４】
本発明のうち請求項７記載の発明は、第一のＯＦＤＭ信号から第一のＴＳ信号取得する方法と、第二のＯＦＤＭ信号から第二のＴＳ信号取得する方法と、前記第一のＴＳ信号から第一のＰＡＴおよびＣＣを取得する方法と、前記第二のＴＳ信号から第二のＰＡＴおよびＣＣを取得する方法と、前記第一のＰＡＴ、ＣＣを解析する方法と、前記第二ＰＡＴ、ＣＣとを解析する方法と、前記第一のＰＡＴ、ＣＣの解析結果および前記第二のＰＡＴ、ＣＣの解析結果を比較する比較方法を具備し、前記比較方法はＰＡＴの周期またはＣＣの値連続性のどちらか、または双方を比較することを特徴とする。
【発明の効果】
【００２５】
本発明によれば、ＯＦＤＭ変調器後のＴＳ信号のＰＡＴまたは連続性指標ＣＣを解析または比較することにより、ＯＦＤＭ変調器の異常が容易に判別できる。また市販のチューナを使うことにより簡単かつ安価なデジタル送信機用監視装置が構成できる。
【図面の簡単な説明】
【００２６】
【図１】放送局の送信設備の説明図である。
【図２】本発明による一実施例のデジタル送信機用監視装置の説明図である。
【図３】本発明による他の実施例のデジタル送信機用監視装置の説明図である。
【図４】本発明による他の実施例のデジタル送信機用監視装置の説明図である。
【図５】ＴＳパケットの構造を説明する図である。
【図６】ＰＩＤの説明図である。
【図７】ＰＡＴ、ＣＣの検出方法を説明する図である。
【発明を実施するための形態】
【００２７】
以下に、図面を参照して本発明の実施の形態を説明する。
【００２８】
図２は、デジタル送信機用監視装置の一実施例を示すものである。
【００２９】
図２に示すように、符号１０はデジタル送信機用監視装置で、同調・検波１５０とＯＦＤＭ復調器１６０とで構成されるチューナ２１０と、フィルタ１７０と、解析１８０と、アラーム２００とを備えている。
【００３０】
ＯＦＤＭ信号は、そのまま増幅してアンテナより電波として送信できる周波数の場合がある。この場合、図２に開示されるＯＦＤＭ変調器は、市販のチューナで構成することができる。一般的にチューナは目的とする電波を同調受信し、検波してＯＦＤＭ信号を復調し且つＴＳ信号を出力する手段を有している。そこでチューナを使うことにより簡単にＴＳ信号を得ることができる。
【００３１】
入力するＯＦＤＭ信号は、例えばＰＡ１３０から分岐して入力する。この信号は放送するRF信号であるので、受信用チューナ２１０に入力してＴＳ信号に復調される。
【００３２】
チューナ２１０は放送波（RF）に同調して、この放送波を検波１５０する。検波した出力はＯＦＤＭ復調器１６０でＴＳ信号に戻される。
【００３３】
フィルタ１７０は、入力されたＴＳ信号からＰＡＴを抜き出し、これに付属する連続性指標ＣＣをフィルタリングする。また、上記のフィルタリング動作については後述する。
【００３４】
フィルタリングされたＰＡＴは解析１８０で周期性を判断する。これは、ＰＡＴの送出周期が１００ｍｓｅｃ以内とＡＲＩＢ  ＴＲ−Ｂ１４で規定されているので、この規定に合わなければ周期異常と判断できる。
【００３５】
またフィルタリングされた連続性指標ＣＣは、解析１８０で連続性を判断する。そして、連続性指標ＣＣは４ビットで構成され、同一ＰＩＤのパケットに付す連続番号で、１６をモジュロとして１ずつインクリメントされるので、正しくインクリメントされなかった場合は連続性異常と判断できる。
【００３６】
アラーム２００は、解析１８０からのエラー情報を判断し、アラーム信号を外部に出力（図示せず）する。
【００３７】
ＰＡＴおよび連続性指標ＣＣのフィルタリング動作を説明する。図５に開示されるものは、ＴＳパケットの構造を示す。ＴＳは１８８バイ固定長であり、先頭の４バイトはヘッダ領域を持っている。また、ヘッダの先頭の８ビットが同期バイトで０ｘ４７の値を持つ。まず、入力されたＴＳの中から０ｘ４７の値を検索し、パケットの同期をとる。ここで同期が取れたら、先頭から１２ビット目から始まるＰＩＤ（１３ビット）をフィルタする。ＰＩＤはこのパケットがどんなパケットであるかの種別を示す。図６にその種別を示す。ＰＩＤの値が０ｘ００００であるのがＰＡＴである。このパケットがＰＡＴと判断したら、これに続く４ビット後の連続性指標ＣＣ（４ビット）をフィルタリングする。
【００３８】
ＰＡＴおよび連続性指標ＣＣをフィルタリングすることにより、ＰＡＴの周期エラー、連続性指標ＣＣエラーを検出できる。
【００３９】
ＴＳ信号はＰＳＩ（Ｐｒｏｇｒａｍ  Ｓｐｅｃｉｆｉｃ  Ｉｎｆｏｍａｉｏｎ）テーブルとＳＩ（Ｓｅｒｖｉｓｅ  Ｉｎｆｏｍａｔｉｏｎ）テーブル、さらに映像・音声のＥＳ（Ｅｌｅｍｅｎｔａｒｙ  Ｓｔｒｅａｍ）で構成される。ここでＴＳ信号を構成する全ての信号を監視する方法では、データ処理が複雑になるため、データのエラー検知の確実性の低下およびコスト高の要因となる。デジタル放送送信機は、ＴＳ信号を送信信号に変換する伝送路符号化を施し送信するが、特定の信号を処理する過程がないため、データ異常は特定の信号に限定されず全ての信号にアトランダムに発生する。このため、監視対象を「特定の信号」に限定する監視手法を採用することによって効率的にデータ異常を検知することが可能となる。
【００４０】
ＰＡＴは図６に示すようにＴＳにとって重要な情報であり、常時送出されることおよび送出周期が１００ｍｓｅｃ以内と固定されている唯一の信号である。
【００４１】
したがって、ＰＡＴの周期または連続性を調べることにより、ＴＳの異常を簡単かつ即座に検出することが可能である。
【００４２】
図３に開示されるものは、放送局の送出設備に応用した実施例である。そして図３は、図２に開示される装置を二重化構成し、ここで得られた解析結果を比較することにより、異常を検出している。デジタル送信器用監視装置１１において、図２における第一の入力信号は現用系のＴＳ１とし、第二の入力信号は予備系のＴＳ２としている。図中のチューナ１（２１１）/２(２１２)、フィルタ１（１７１）/２(１７２)、解析１（１８１）/２(１８２)は、それぞれ図２のチューナ２１０、フィルタ１７０、解析１８０と同じ動作を行う。
【００４３】
上記の装置で実施される方法によると、一方で異常を検知した場合に他方も同じ異常が検知された場合は、ＯＦＤＭ変調部分の不具合ではないと判断できる。一般的に常用／予備のＯＦＤＭ変調器が同時に同じような不具合を起こす確率は少ないので、この方法でＯＦＤＭ変調器の不具合を確認できる。また、純粋にＯＦＤＭ変調器の不具合を検出するには、変調器に入力されるＴＳ信号とＯＦＤＭ変調器の出力されたＯＦＤＭ信号を復調したＴＳ信号とを前述のように比較すれば良い。
【００４４】
図３に開示される装置において、解析１（１８１）および解析２（１８２）から得られた、第一および第二のＰＡＴおよび連続性指標ＣＣの情報は比較器１９０に入力される。比較器１９０は第一および第二のＰＡＴの情報を比較し、同じエラーが起こっていた場合、あるいは一方のエラーが定められた時間内に復旧した場合は、エラーとしてアラーム２０１に出力しない。どちらか一方が定められた時間で異なった場合にエラーとしてアラーム２０１に出力する。同じように第一および第二の連続性指標ＣＣの情報を比較し、同じエラーが起こっていた場合、あるいは一方のエラーが定められた時間内に復旧した場合は、エラーとしてアラーム２０１に出力しない。どちらか一方が定められた時間で異なった場合に、エラーとしてアラーム２０１に出力する。
【００４５】
アラーム２０１は、比較器１９０からのエラー情報を判断し、アラーム信号を外部に出力（図示せず）する。
【００４６】
さらに、図４に開示される装置は、図３に開示される装置に対し、もうひとつの信号を加えた実施例である。このデジタル送信機用監視装置１２は、放送局の送信設備のアンテナ２２１から発射された電波を受信用のアンテナ２２２で受け、これをチューナ２１３でＯＦＤＭ復調して得られたＴＳ３を図２、３と同様にフィルタ３（１７３）でフィルタリングして得られたＰＡＴ３を解析３（１８３）に入力する。以後の比較器動作は図３と同様である。
【００４７】
図４の方法によると、ＯＦＤＭ変調器以降のＵＰ−ＣＯＮＶＥＲＴＥＲ、ＰＡ、アンテナ等による不具合の検出ができる。
【００４８】
また、図２、３、４に開示されるように、チューナを使った場合、チューナからはＲＦ（Radio  Frequency）同期エラーやＲＳエラーの信号も得ることができる。ここで得られた信号を比較回路に入力し（図示せず）、前述したように各系列で比較すれば、同じように各系列の不具合を検知することができる。また、前述したＰＡＴ周期エラーや連続性指標ＣＣの連続性エラーと、RF同期エラーやRSエラーとを組合せた監視方法も考えられる。
【００４９】
また図ではフィルタや解析を回路ブロックで説明したが、ＦＰＧＡ（Field  Programmable  Gate  Array）で構成して、内蔵されているロジックでＯＦＤＭ復調、フィルタリング、比較する方法やＣＰＵ（Central  Processing  Unit）を使ってソフト的にＯＦＤＭ復調、フィルタリング、比較する方法も可能である。
【００５０】
比較器１９０は、以下の３つのモードが考えられる。
【００５１】
（Ａ）比較モード
たとえばＴＳ１を基準として、ＴＳ２を監視する。ＴＳ２でＰＡＴの周期がＴＳ１の周期と異なる場合や、連続性指標ＣＣが見つからずにインクリメントされない、またはインクメントされた値が異なる等といったエラーが起こった場合、ＴＳ１では、同じエラーが例えば１００ｍｓｅｃ以内に起こっていた場合にエラーとしない。もし、ＴＳ２のみ単独でエラーが上記期間である１００ｍｓｅｃ以上発生しているときにエラーとする。これにより、放送波中継施設での受信信号と再送信信号との比較検知ができる。
【００５２】
（Ｂ）相関モード
このモードでは、ＴＳ１およびＴＳ２を相互に監視する。一方で上記比較モードと同様のエラーが発生し、たとえば１００ｍｓｅｃの間に他方で同じエラーが発生した場合にはエラーとしない。上記期間以上において片側のみがエラーを発生した場合、または双方で異なったエラーが発生した場合エラーとする。これにより、送信所の現用ＯＦＤＭ変調器と予備ＯＦＤＭ変調器との比較検知ができる。
【００５３】
（Ｃ）独立モード
このモードでは、ＴＳ１およびＴＳ２を独立に監視し、上記した比較モードおよび相関モードと同様のエラーを検出した場合にはエラーとする。これにより、単独で受信したＴＳ信号の監視や送信所の現用ＯＦＤＭ変調器と予備ＯＦＤＭ変調器の監視ができる。
【００５４】
図７に基づいて、ＰＡＴおよび連続性指標ＣＣの検出方法を説明する。
【００５５】
まず、ＯＦＤＭ復調器より出力されるＴＳ信号からＰＩＤ＝０ｘ００００であるＰＡＴを検出（ＰＡＴ１とする）し、そのときのＣＣ＝００１１とする。ＴＳ信号のＰＩＤを継続して検出しており、次にＰＩＤ＝０ｘ００００のパケット（ＰＡＴ２とする）を検出し、そのときのＣＣ＝０１００とした場合、まずＰＡＴ１とＰＡＴ２との時間間隔がＡＲＩＢで規定されている時間の例えば１００ｍｓｅｃ以内であれば、ＰＡＴの周期は正常であり、連続性指標ＣＣの連続性も問題ない（図（ａ）の場合）。もしここでＰＡＴ１を検出し、１００ｍｓｅｃ以内にＰＩＤ＝０ｘ００００のパケットが検出できなかった場合は、ＰＡＴ周期エラーと判断する（図（ｂ）の場合）。また、ＰＡＴ1を検出後、１００ｍｓｅｃ以内にＰＩＤ＝０ｘ００００のパケット（ＰＡＴ２）が検出でき、そのときの連続性指標ＣＣの値がＰＡＴ１のＣＣ=００１１から１だけインクリメントされた値であるＣＣ＝０１００以外であった場合には、連続性エラーと判断する。
【００５６】
ＰＡＴの周期を監視して、これが規格値に合わない場合、または、ＰＡＴの連続性指標ＣＣの連続性が取れていない場合には、ＴＳに異常があるか、または、ＯＦＤＭ変調器に異常があると判断できる。
【００５７】
デジタル放送の放送局の送信設備においてＯＦＤＭ変調器の出力であるＯＦＤＭ信号は、直接電波として発射できる、たとえばチャンネル２０の５１５．１４３ＭＨｚの周波数の場合と、例えば３７．１５ＭＨｚの中間周波数の場合がある。前記中間周波数の場合にチューナで受信するには、中関周波数であるＯＦＤＭ信号を周波数コンバータで例えば５１５．１４３ＭＨｚに変換にすれば受信可能である。
【符号の説明】
【００５８】
１０〜１２  デジタル送信機用監視装置
１００  ＳＴＬ受信機                        
１１０  ＯＦＤＭ変調器
１１１  ＯＦＤＭ変調器（現用）
１１２  ＯＦＤＭ変調器（予備）
１２０  ＵＰ−ＣＯＮＶＥＲＴＥＲ
１２１  ＵＰ−ＣＯＮＶＥＲＴＥＲ（現用）
１２２  ＵＰ−ＣＯＮＶＥＲＴＥＲ（予備）            
１３０  ＰＡ
１３１  ＰＡ(現用)
１３２  ＰＡ(予備)
１４０  出力切替
１５０  同調・検波
１６０  ＯＦＤＭ復調器
１７０  フィルタ
１７１  フィルタ１
１７２  フィルタ２
１７３  フィルタ３
１８０  解析
１８１  解析１
１８２  解析２
１８３  解析３
１９０，１９１  比較器
２００〜２０２  アラーム
２１０  チューナ
２１１  チューナ１
２１２  チューナ２
２１３  チューナ３
２２１  アンテナ１
２２２  アンテナ２
【図１】
2011109332.tif 000003
【図２】
2011109332.tif 000004
【図３】
2011109332.tif 000005
【図４】
2011109332.tif 000006
【図５】
2011109332.tif 000007
【図６】
2011109332.tif 000008
【図７】
2011109332.tif 000009